(57)【要約】【課題】  光学系中において光の偏光状態を所望の偏光状態から変化させる部位を検知し、当該部位を必要に応じて光学調整することのできる照明光学装置の調整方法。【解決手段】  被照射面を照明する光束の偏光状態を測定する第１測定工程（Ｓ１１）と、第１測定工程の後に、光源と被照射面との間の光路中の所望位置に偏光子を所要の姿勢で挿入する挿入工程（Ｓ１２）と、偏光子を挿入した後に、被照射面を照明する光束の偏光状態を測定する第２測定工程（Ｓ１３）と、第１測定工程の測定結果と第２測定工程の測定結果とに基づいて、所望位置と光源との間の光学系の不具合を判断する判断工程（Ｓ１４）とを含む。【選択図】  図６
2007048996.tif 000002
【特許請求の範囲】
【請求項１】
光源からの光束に基づいて被照射面を照明する照明光学装置の調整方法において、
前記被照射面を照明する光束の偏光状態を測定する第１測定工程と、
前記第１測定工程の後に、前記光源と前記被照射面との間の光路中の所望位置に偏光子を所要の姿勢で挿入する挿入工程と、
前記偏光子を挿入した後に、前記被照射面を照明する光束の偏光状態を測定する第２測定工程と、
前記第１測定工程の測定結果と前記第２測定工程の測定結果とに基づいて、前記所望位置と前記光源との間の光学系の不具合を判断する判断工程とを含むことを特徴とする調整方法。
【請求項２】
前記挿入工程では、前記偏光子として、偏光ビームスプリッターまたはグラントムソンプリズムを挿入することを特徴とする請求項１に記載の調整方法。
【請求項３】
前記判断工程の判断結果に応じて、前記所望位置と前記光源との間の光学系を光学調整する調整工程をさらに含むことを特徴とする請求項１または２に記載の調整方法。
【請求項４】
前記判断工程の判断結果に応じて、前記所望位置と前記光源との間の光学系を光学調整する調整工程をさらに含み、
前記調整工程は、前記所望位置と前記光源との間の光学系中の少なくとも１つの光学部材を交換することを特徴とする請求項１または２に記載の調整方法。
【請求項５】
光源からの光束に基づいて照明瞳面上に瞳光強度分布を形成し、該照明瞳面を通過した光束を用いて被照射面を照明する照明光学装置の調整方法において、
前記瞳光強度分布の偏光状態が所望の偏光状態に近づくように前記瞳光強度分布の形状を小さく設定する設定工程と、
前記設定工程の後に、前記光源と前記被照射面との間の光路中の所望位置に拡散部材を挿入する挿入工程と、
前記拡散部材を挿入した後に、前記瞳光強度分布の偏光状態を測定する測定工程と、
前記測定工程の測定結果に基づいて、前記所望位置と前記被照射面との間の光学系の不具合を判断する判断工程とを含むことを特徴とする調整方法。
【請求項６】
前記挿入工程では、前記被照射面の近傍、前記被照射面と光学的に共役な共役位置、または該共役位置の近傍に、前記拡散部材を挿入することを特徴とする請求項５に記載の調整方法。
【請求項７】
前記判断工程の判断結果に応じて、前記所望位置と前記被照射面との間の光学系を光学調整する調整工程をさらに含むことを特徴とする請求項５または６に記載の調整方法。
【請求項８】
前記判断工程の判断結果に応じて、前記所望位置と前記被照射面との間の光学系を光学調整する調整工程をさらに含み、
前記調整工程は、前記所望位置と前記被照射面との間の光学系中の少なくとも１つの光学部材を交換することを特徴とする請求項５または６に記載の調整方法。
【請求項９】
光源からの光束に基づいて被照射面を照明する照明光学装置の調整方法において、
前記光源と前記被照射面との間の光路中の所望位置に移相子を所要の姿勢で挿入する挿入工程と、
前記移相子を挿入した後に、前記移相子の光学軸の回転角度を変化させつつ少なくとも２つの回転角度位置において前記被照射面を照明する光束の偏光状態を複数回測定する測定工程と、
前記測定工程の複数回の測定結果に基づいて、前記所望位置と前記光源との間の第１光学系の移相子としての偏光特性および前記所望位置と前記被照射面との間の第２光学系の移相子としての偏光特性を算出する特性算出工程とを含むことを特徴とする調整方法。
【請求項１０】
前記特性算出工程の算出結果に応じて、前記第１光学系または前記第２光学系を光学調整する調整工程をさらに含むことを特徴とする請求項９に記載の調整方法。
【請求項１１】
前記調整工程は、前記第１光学系中の少なくとも１つの光学部材または前記第２光学系中の少なくとも１つの光学部材を交換する交換工程を含むことを特徴とする請求項１０に記載の調整方法。
【請求項１２】
前記調整工程は、前記第１光学系または前記第２光学系を光軸廻りに所定角度だけ回転させて位置決めする回転工程を含むことを特徴とする請求項１０に記載の調整方法。
【請求項１３】
前記挿入工程では、前記移相子として、波長板または旋光子を挿入することを特徴とする請求項９乃至１２のいずれか１項に記載の調整方法。
【請求項１４】
前記挿入工程では、前記被照射面の近傍、前記被照射面と光学的に共役な像共役位置、該像共役位置の近傍、照明瞳面と光学的に共役な瞳共役位置、または該瞳共役位置の近傍に、前記移相子を挿入することを特徴とする請求項９乃至１３のいずれか１項に記載の調整方法。
【請求項１５】
請求項１乃至１４のいずれか１項に記載の調整方法により調整されたことを特徴とする照明光学装置。
【請求項１６】
光源からの光束に基づいて被照射面を照明する照明光学装置において、
前記被照射面を照明する光束の偏光状態を測定するための偏光測定部と、
前記光源と前記被照射面との間の光路中の複数の位置に選択的に偏光子を挿脱自在に配置するための偏光子挿脱部とを備えていることを特徴とする照明光学装置。
【請求項１７】
前記偏光子は、偏光ビームスプリッターまたはグラントムソンプリズムであることを特徴とする請求項１６に記載の照明光学装置。
【請求項１８】
光源からの光束に基づいて照明瞳面上に瞳光強度分布を形成し、該照明瞳面を通過した光束を用いて被照射面を照明する照明光学装置において、
前記瞳光強度分布の形状の大きさを変更するための形状変更部と、
前記瞳光強度分布の偏光状態を測定する偏光測定部と、
前記光源と前記被照射面との間の光路中の複数の位置に選択的に拡散部材を挿脱自在に配置するための拡散部材挿脱部とを備えていることを特徴とする照明光学装置。
【請求項１９】
前記拡散部材挿脱部は、前記被照射面の近傍、前記被照射面と光学的に共役な共役位置、または該共役位置の近傍に、前記拡散部材を挿入することを特徴とする請求項１８に記載の照明光学装置。
【請求項２０】
光源からの光束に基づいて被照射面を照明する照明光学装置において、
前記被照射面を照明する光束の偏光状態を測定するための偏光測定部と、
前記光源と前記被照射面との間の光路中の複数の位置に選択的に移相子を挿脱自在に配置し且つ前記移相子の光学軸の回転角度を変化させるための移相子挿脱駆動部とを備えていることを特徴とする照明光学装置。
【請求項２１】
前記移相子挿脱駆動部は、前記被照射面の近傍、前記被照射面と光学的に共役な像共役位置、該像共役位置の近傍、照明瞳面と光学的に共役な瞳共役位置、または該瞳共役位置の近傍に、前記移相子を挿入することを特徴とする請求項２０に記載の照明光学装置。
【請求項２２】
前記移相子は、波長板または旋光子であることを特徴とする請求項２０または２１に記載の照明光学装置。
【請求項２３】
所定のパターンを照明するための請求項１乃至２２のいずれか１項に記載の照明光学装置と、前記所定のパターンの像を感光性基板上に形成するための投影光学系とを備えていることを特徴とする露光装置。
【請求項２４】
請求項１乃至２２のいずれか１項に記載の照明光学装置を介して所定のパターンを照明し、照明された前記パターンを投影光学系により感光性基板に露光する露光工程と、
前記露光工程により露光された前記感光性基板を現像する現像工程とを含むことを特徴とするデバイスの製造方法。
【発明の詳細な説明】
【技術分野】
【０００１】
本発明は、照明光学装置の調整方法、照明光学装置、露光装置、およびデバイスの製造方法に関し、特に半導体素子、撮像素子、液晶表示素子、薄膜磁気ヘッド等のデバイスをリソグラフィー工程で製造するための露光装置に関するものである。
【背景技術】
【０００２】
この種の典型的な露光装置においては、光源から射出された光束が、オプティカルインテグレータとしてのフライアイレンズを介して、多数の光源からなる実質的な面光源としての二次光源を形成する。二次光源（一般には、照明光学装置の照明瞳またはその近傍に形成される照明瞳分布）からの光束は、フライアイレンズの後側焦点面の近傍に配置された開口絞りを介して制限された後、コンデンサーレンズに入射する。
【０００３】
コンデンサーレンズにより集光された光束は、所定のパターンが形成されたマスクを重畳的に照明する。マスクのパターンを透過した光は、投影光学系を介してウェハ上に結像する。こうして、ウェハ上には、マスクパターンが投影露光（転写）される。なお、マスクに形成されたパターンは高集積化されており、この微細パターンをウェハ上に正確に転写するにはウェハ上において均一な照度分布を得ることが不可欠である。
【０００４】
また、本出願人は、任意方向の微細パターンを忠実に転写するのに適した照明条件を実現するために、フライアイレンズの後側焦点面に輪帯状の二次光源を形成し、この輪帯状の二次光源を通過する光束がその周方向を偏光方向とする直線偏光状態（以下、略して「周方向偏光状態」という）になるように設定する技術を開示している（たとえば特許文献１）。
【０００５】
【特許文献１】国際公開第ＷＯ２００５／０４１２７７号パンフレット
【発明の開示】
【発明が解決しようとする課題】
【０００６】
上述の周方向偏光状態に限定されることなく、特定の直線偏光状態の光を用いて特定のパターンの投影露光を行うことは、投影光学系の解像度向上に有効である。さらに一般的には、マスクパターンに応じて特定の偏光状態（以下、非偏光状態を含む広い概念）の光を用いて投影露光を行うことは、投影光学系の解像度向上に有効である。
【０００７】
しかしながら、所望の偏光状態の光でマスク（ひいてはウェハ）を照明しようとしても、照明光路中に光の偏光状態を変化させる光学部材が介在すると、所望の偏光状態で結像しなくなり、ひいては結像性能が悪化する可能性がある。特に、光学部材を形成する光学材料の内部歪みや光学部材のホールドに伴う歪みにより発生する位相差、反射防止膜や反射膜で発生する位相差などに起因して光の偏光状態が変化することがある。また、各光学部材の製造や組み立ての過程において位相差が微小量ずつ発生し、光学系全系を通過してウェハに達する光の偏光状態が所望の偏光状態と異なってしまうことがある。
【０００８】
本発明は、前述の課題に鑑みてなされたものであり、光学系中において光の偏光状態を所望の偏光状態から実質的に変化させる部位を検知することができ、当該部位を必要に応じて光学調整することのできる照明光学装置を提供することを目的とする。また、光の偏光状態を所望の偏光状態から実質的に変化させる部位を検知することができ、当該部位を必要に応じて光学調整することのできる照明光学装置を用いて、微細パターンを感光性基板上に所望の偏光状態で結像させて忠実で且つ良好な露光を行うことのできる露光装置および露光方法を提供することを目的とする。
【課題を解決するための手段】
【０００９】
前記課題を解決するために、本発明の第１形態では、光源からの光束に基づいて被照射面を照明する照明光学装置の調整方法において、
前記被照射面を照明する光束の偏光状態を測定する第１測定工程と、
前記第１測定工程の後に、前記光源と前記被照射面との間の光路中の所望位置に偏光子を所要の姿勢で挿入する挿入工程と、
前記偏光子を挿入した後に、前記被照射面を照明する光束の偏光状態を測定する第２測定工程と、
前記第１測定工程の測定結果と前記第２測定工程の測定結果とに基づいて、前記所望位置と前記光源との間の光学系の不具合を判断する判断工程とを含むことを特徴とする調整方法を提供する。
【００１０】
本発明の第２形態では、光源からの光束に基づいて照明瞳面上に瞳光強度分布を形成し、該照明瞳面を通過した光束を用いて被照射面を照明する照明光学装置の調整方法において、
前記瞳光強度分布の偏光状態が所望の偏光状態に近づくように前記瞳光強度分布の形状を小さく設定する設定工程と、
前記設定工程の後に、前記光源と前記被照射面との間の光路中の所望位置に拡散部材を挿入する挿入工程と、
前記拡散部材を挿入した後に、前記瞳光強度分布の偏光状態を測定する測定工程と、
前記測定工程の測定結果に基づいて、前記所望位置と前記被照射面との間の光学系の不具合を判断する判断工程とを含むことを特徴とする調整方法を提供する。
【００１１】
本発明の第３形態では、光源からの光束に基づいて被照射面を照明する照明光学装置の調整方法において、
前記光源と前記被照射面との間の光路中の所望位置に移相子を所要の姿勢で挿入する挿入工程と、
前記移相子を挿入した後に、前記移相子の光学軸の回転角度を変化させつつ少なくとも２つの回転角度位置において前記被照射面を照明する光束の偏光状態を複数回測定する測定工程と、
前記測定工程の複数回の測定結果に基づいて、前記所望位置と前記光源との間の第１光学系の移相子としての偏光特性および前記所望位置と前記被照射面との間の第２光学系の移相子としての偏光特性を算出する特性算出工程とを含むことを特徴とする調整方法を提供する。
【００１２】
本発明の第４形態では、第１形態〜第３形態の調整方法により調整されたことを特徴とする照明光学装置を提供する。
【００１３】
本発明の第５形態では、光源からの光束に基づいて被照射面を照明する照明光学装置において、
前記被照射面を照明する光束の偏光状態を測定するための偏光測定部と、
前記光源と前記被照射面との間の光路中の複数の位置に選択的に偏光子を挿脱自在に配置するための偏光子挿脱部とを備えていることを特徴とする照明光学装置を提供する。
【００１４】
本発明の第６形態では、光源からの光束に基づいて照明瞳面上に瞳光強度分布を形成し、該照明瞳面を通過した光束を用いて被照射面を照明する照明光学装置において、
前記瞳光強度分布の形状の大きさを変更するための形状変更部と、
前記瞳光強度分布の偏光状態を測定する偏光測定部と、
前記光源と前記被照射面との間の光路中の複数の位置に選択的に拡散部材を挿脱自在に配置するための拡散部材挿脱部とを備えていることを特徴とする照明光学装置を提供する。
【００１５】
本発明の第７形態では、光源からの光束に基づいて被照射面を照明する照明光学装置において、
前記被照射面を照明する光束の偏光状態を測定するための偏光測定部と、
前記光源と前記被照射面との間の光路中の複数の位置に選択的に移相子を挿脱自在に配置し且つ前記移相子の光学軸の回転角度を変化させるための移相子挿脱駆動部とを備えていることを特徴とする照明光学装置を提供する。
【００１６】
本発明の第８形態では、所定のパターンを照明するための第４形態〜第７形態の照明光学装置と、前記所定のパターンの像を感光性基板上に形成するための投影光学系とを備えていることを特徴とする露光装置を提供する。
【００１７】
本発明の第９形態では、第４形態〜第７形態の照明光学装置を介して所定のパターンを照明し、照明された前記パターンを投影光学系により感光性基板に露光する露光工程と、
前記露光工程により露光された前記感光性基板を現像する現像工程とを含むことを特徴とするデバイスの製造方法を提供する。
【発明の効果】
【００１８】
本発明の典型的な形態にしたがう照明光学装置では、被照射面を照明する光束の偏光状態を測定する偏光測定部と、光路中の複数の位置に選択的に偏光子を挿脱自在に配置する偏光子挿脱部とを備えている。したがって、被照射面を照明する光束の偏光状態を測定した後に光路中の所望位置に偏光子を所要の姿勢で挿入し、被照射面を照明する光束の偏光状態を再び測定することにより、２回の測定結果に基づいて偏光子の挿入位置と光源との間の光学系の不具合を判断することができる。
【００１９】
こうして、本発明の照明光学装置では、光学系中において光の偏光状態を所望の偏光状態から実質的に変化させる部位を検知することができ、当該部位を必要に応じて光学調整することができる。したがって、本発明の露光装置および露光方法では、光の偏光状態を所望の偏光状態から実質的に変化させる部位を検知することができ、当該部位を必要に応じて光学調整することのできる照明光学装置を用いて、微細パターンを感光性基板上に所望の偏光状態で結像させて忠実で且つ良好な露光を行うことができ、ひいては良好なデバイスを製造することができる。
【発明を実施するための最良の形態】
【００２０】
本発明の実施形態を、添付図面に基づいて説明する。図１は、本発明の実施形態にかかる露光装置の構成を概略的に示す図である。図１において、感光性基板であるウェハＷの法線方向に沿ってＺ軸を、ウェハＷの面内において図１の紙面に平行な方向にＹ軸を、ウェハＷの面内において図１の紙面に垂直な方向にＸ軸をそれぞれ設定している。
【００２１】
図１を参照すると、本実施形態の露光装置は、露光光（照明光）を供給するための光源１を備えている。光源１として、たとえば１９３ｎｍの波長の光を供給するＡｒＦエキシマレーザ光源や２４８ｎｍの波長の光を供給するＫｒＦエキシマレーザ光源などを用いることができる。光源１から射出されたほぼ平行な光束は、リレーレンズ系２、偏光状態切換部３（３ａ，３ｂ，３ｃ）、および輪帯照明用の回折光学素子４を介して、アフォーカルレンズ５に入射する。
【００２２】
リレーレンズ系２は、光源１からのほぼ平行な光束を所定の矩形状の断面を有するほぼ平行な光束に変換して偏光状態切換部３へ導く機能を有する。偏光状態切換部３は、偏光状態切換部３は、光源側から順に、光軸ＡＸを中心として結晶光学軸が回転自在に構成されて入射する楕円偏光の光を直線偏光の光に変換する１／４波長板３ａと、光軸ＡＸを中心として結晶光学軸が回転自在に構成されて入射する直線偏光の偏光方向を変化させる１／２波長板３ｂと、照明光路に対して挿脱自在なデポラライザ（非偏光化素子）３ｃとを備えている。
【００２３】
すなわち、偏光状態切換部３は、デポラライザ３ｃを照明光路から退避させた状態で、光源１からの光を所望の偏光方向を有する直線偏光の光に変換して回折光学素子４へ入射させる機能を有し、デポラライザ３ｃを照明光路中に設定した状態で、光源１からの光を実質的に非偏光の光に変換して回折光学素子４へ入射させる機能を有する。アフォーカルレンズ５は、その前側焦点位置と回折光学素子４の位置とがほぼ一致し且つその後側焦点位置と図中破線で示す所定面６の位置とがほぼ一致するように設定されたアフォーカル系（無焦点光学系）である。
【００２４】
一方、回折光学素子４は、基板に露光光（照明光）の波長程度のピッチを有する段差を形成することによって構成され、入射ビームを所望の角度に回折する作用を有する。具体的には、輪帯照明用の回折光学素子４は、矩形状の断面を有する平行光束が入射した場合に、そのファーフィールド（またはフラウンホーファー回折領域）に輪帯状の光強度分布を形成する機能を有する。したがって、光束変換素子としての回折光学素子４に入射したほぼ平行光束は、アフォーカルレンズ５の瞳面に輪帯状の光強度分布を形成した後、輪帯状の角度分布でアフォーカルレンズ５から射出される。
【００２５】
アフォーカルレンズ５の前側レンズ群５ａと後側レンズ群５ｂとの間の光路中においてその瞳位置またはその近傍には、偏光変換素子７および円錐アキシコン系８が配置されている。偏光変換素子７および円錐アキシコン系８の構成および作用については後述する。アフォーカルレンズ５を介した光束は、σ値可変用のズームレンズ９を介して、オプティカルインテグレータとしてのマイクロフライアイレンズ（またはフライアイレンズ）１０に入射する。マイクロフライアイレンズ１０は、縦横に且つ稠密に配列された多数の正屈折力を有する微小レンズからなる光学素子である。
【００２６】
一般に、マイクロフライアイレンズは、たとえば平行平面板にエッチング処理を施して微小レンズ群を形成することによって構成される。ここで、マイクロフライアイレンズを構成する各微小レンズは、フライアイレンズを構成する各レンズエレメントよりも微小である。また、マイクロフライアイレンズは、互いに隔絶されたレンズエレメントからなるフライアイレンズとは異なり、多数の微小レンズ（微小屈折面）が互いに隔絶されることなく一体的に形成されている。しかしながら、正屈折力を有するレンズ要素が縦横に配置されている点でマイクロフライアイレンズはフライアイレンズと同じ波面分割型のオプティカルインテグレータである。
【００２７】
所定面６の位置はズームレンズ９の前側焦点位置の近傍に配置され、マイクロフライアイレンズ１０の入射面はズームレンズ９の後側焦点位置の近傍に配置されている。換言すると、ズームレンズ９は、所定面６とマイクロフライアイレンズ１０の入射面とを実質的にフーリエ変換の関係に配置し、ひいてはアフォーカルレンズ５の瞳面とマイクロフライアイレンズ１０の入射面とを光学的にほぼ共役に配置している。したがって、マイクロフライアイレンズ１０の入射面上には、アフォーカルレンズ５の瞳面と同様に、たとえば光軸ＡＸを中心とした輪帯状の照野が形成される。
【００２８】
この輪帯状の照野の全体形状は、後述するようにズームレンズ９の焦点距離に依存して相似的に変化する。マイクロフライアイレンズ１０を構成する各微小レンズは、マスクＭ上において形成すべき照野の形状（ひいてはウェハＷ上において形成すべき露光領域の形状）と相似な矩形状の断面を有する。マイクロフライアイレンズ１０に入射した光束は多数の微小レンズにより二次元的に分割され、その後側焦点面またはその近傍（ひいては照明瞳面）には、入射光束によって形成される照野とほぼ同じ光強度分布を有する二次光源、すなわち光軸ＡＸを中心とした輪帯状の実質的な面光源からなる二次光源が形成される。
【００２９】
マイクロフライアイレンズ１０の後側焦点面またはその近傍に形成された二次光源からの光束は、コンデンサー光学系１１を介した後、マスクブラインド１２を重畳的に照明する。こうして、照明視野絞りとしてのマスクブラインド１２には、マイクロフライアイレンズ１０を構成する各微小レンズの形状と焦点距離とに応じた矩形状の照野が形成される。マスクブラインド１２の矩形状の開口部（光透過部）を介した光束は、結像光学系１３の集光作用を受けた後、所定のパターンが形成されたマスクＭを重畳的に照明する。
【００３０】
すなわち、結像光学系１３は、マスクブラインド１２の矩形状開口部の像をマスクＭ上に形成することになる。マスクステージＭＳ上に保持されたマスクＭのパターンを透過した光束は、投影光学系ＰＬを介して、ウェハステージＷＳ上に保持されたウェハ（感光性基板）Ｗ上にマスクパターンの像を形成する。こうして、投影光学系ＰＬの光軸ＡＸと直交する平面（ＸＹ平面）内においてウェハステージＷＳを二次元的に駆動制御しながら、ひいてはウェハＷを二次元的に駆動制御しながら一括露光またはスキャン露光を行うことにより、ウェハＷの各露光領域にはマスクＭのパターンが順次露光される。
【００３１】
円錐アキシコン系８は、光源側から順に、光源側に平面を向け且つマスク側に凹円錐状の屈折面を向けた第１プリズム部材８ａと、マスク側に平面を向け且つ光源側に凸円錐状の屈折面を向けた第２プリズム部材８ｂとから構成されている。そして、第１プリズム部材８ａの凹円錐状の屈折面と第２プリズム部材８ｂの凸円錐状の屈折面とは、互いに当接可能なように相補的に形成されている。また、第１プリズム部材８ａおよび第２プリズム部材８ｂのうち少なくとも一方の部材が光軸ＡＸに沿って移動可能に構成され、第１プリズム部材８ａの凹円錐状の屈折面と第２プリズム部材８ｂの凸円錐状の屈折面との間隔が可変に構成されている。
【００３２】
ここで、第１プリズム部材８ａの凹円錐状屈折面と第２プリズム部材８ｂの凸円錐状屈折面とが互いに当接している状態では、円錐アキシコン系８は平行平面板として機能し、形成される輪帯状の二次光源に及ぼす影響はない。しかしながら、第１プリズム部材８ａの凹円錐状屈折面と第２プリズム部材８ｂの凸円錐状屈折面とを離間させると、輪帯状の二次光源の幅（輪帯状の二次光源の外径と内径との差の１／２）を一定に保ちつつ、輪帯状の二次光源の外径（内径）が変化する。すなわち、輪帯状の二次光源の輪帯比（内径／外径）および大きさ（外径）が変化する。
【００３３】
ズームレンズ９は、輪帯状の二次光源の全体形状を相似的に拡大または縮小する機能を有する。たとえば、ズームレンズ９の焦点距離を最小値から所定の値へ拡大させることにより、輪帯状の二次光源の全体形状が相似的に拡大される。換言すると、ズームレンズ９の作用により、輪帯状の二次光源の輪帯比が変化することなく、その幅および大きさ（外径）がともに変化する。このように、円錐アキシコン系８およびズームレンズ９の作用により、輪帯状の二次光源の輪帯比と大きさ（外径）とを制御することができる。
【００３４】
なお、輪帯照明用の回折光学素子４に代えて、４極照明用の回折光学素子（不図示）を照明光路中に設定することによって、４極照明を行うことができる。４極照明用の回折光学素子は、矩形状の断面を有する平行光束が入射した場合に、そのファーフィールドに４極状の光強度分布を形成する機能を有する。したがって、４極照明用の回折光学素子を介した光束は、マイクロフライアイレンズ１０の入射面に、たとえば光軸ＡＸを中心とした４つの円形状の照野からなる４極状の照野を形成する。その結果、マイクロフライアイレンズ１０の後側焦点面またはその近傍にも、その入射面に形成された照野と同じ４極状の二次光源が形成される。
【００３５】
また、輪帯照明用の回折光学素子４に代えて、円形照明用の回折光学素子（不図示）を照明光路中に設定することによって、通常の円形照明を行うことができる。円形照明用の回折光学素子は、矩形状の断面を有する平行光束が入射した場合に、ファーフィールドに円形状の光強度分布を形成する機能を有する。したがって、円形照明用の回折光学素子を介した光束は、マイクロフライアイレンズ１０の入射面に、たとえば光軸ＡＸを中心とした円形状の照野を形成する。その結果、マイクロフライアイレンズ１０の後側焦点面またはその近傍にも、その入射面に形成された照野と同じ円形状の二次光源が形成される。
【００３６】
さらに、輪帯照明用の回折光学素子４に代えて、他の複数極照明用の回折光学素子（不図示）を照明光路中に設定することによって、様々な複数極照明（２極照明、８極照明など）を行うことができる。同様に、輪帯照明用の回折光学素子４に代えて、適当な特性を有する回折光学素子（不図示）を照明光路中に設定することによって、様々な形態の変形照明を行うことができる。
【００３７】
偏光変換素子７は、アフォーカルレンズ５の瞳位置またはその近傍に、すなわち照明光学系（２〜１３）の瞳面またはその近傍に配置されている。したがって、輪帯照明の場合、偏光変換素子７には光軸ＡＸを中心としたほぼ輪帯状の断面を有する光束が入射することになる。偏光変換素子７は、図２に示すように、全体として光軸ＡＸを中心とした輪帯状の有効領域を有し、この輪帯状の有効領域は光軸ＡＸを中心とした円周方向に等分割された８つの扇形形状の基本素子により構成されている。これらの８つの基本素子において、光軸ＡＸを挟んで対向する一対の基本素子は互いに同じ特性を有する。
【００３８】
すなわち、８つの基本素子は、光の透過方向（Ｙ方向）に沿った厚さ（光軸方向の長さ）が互いに異なる４種類の基本素子７Ａ〜７Ｄを２個づつ含んでいる。具体的には、第１基本素子７Ａの厚さが最も大きく、第４基本素子７Ｄの厚さが最も小さく、第２基本素子７Ｂの厚さは第３基本素子７Ｃの厚さよりも大きく設定されている。その結果、偏光変換素子７の一方の面（たとえば入射面）は平面状であるが、他方の面（たとえば射出面）は各基本素子７Ａ〜７Ｄの厚さの違いにより凹凸状になっている。
【００３９】
各基本素子７Ａ〜７Ｄは、旋光性を有する光学材料である水晶により構成され、その結晶光学軸が光軸ＡＸとほぼ一致するように設定されている。以下、図３を参照して、水晶の旋光性について簡単に説明する。図３を参照すると、厚さｄの水晶からなる平行平面板状の光学部材１００が、その結晶光学軸と光軸ＡＸとが一致するように配置されている。この場合、光学部材１００の旋光性により、入射した直線偏光の偏光方向が光軸ＡＸ廻りにθだけ回転した状態で射出される。
【００４０】
このとき、光学部材１００の旋光性による偏光方向の回転角（旋光角度）θは、光学部材１００の厚さｄと水晶の旋光能ρとにより、次の式（１）で表わされる。
θ＝ｄ・ρ    （１）
一般に、水晶の旋光能ρは、波長依存性（使用光の波長に依存して旋光能の値が異なる性質：旋光分散）があり、具体的には使用光の波長が短くなると大きくなる傾向がある。「応用光学II」の第１６７頁の記述によれば、２５０．３ｎｍの波長を有する光に対する水晶の旋光能ρは、１５３．９度／ｍｍである。
【００４１】
第１基本素子７Ａは、Ｙ方向に偏光方向を有する直線偏光の光が入射した場合、Ｙ方向をＺ軸廻りに＋１８０度回転させた方向すなわちＹ方向に偏光方向を有する直線偏光の光を射出するように厚さｄＡが設定されている。したがって、この場合、図４に示す輪帯状の二次光源３１のうち、一対の第１基本素子７Ａの旋光作用を受けた光束が形成する一対の円弧状領域３１Ａを通過する光束の偏光方向はＹ方向になる。
【００４２】
第２基本素子７Ｂは、Ｙ方向に偏光方向を有する直線偏光の光が入射した場合、Ｙ方向をＺ軸廻りに＋１３５度回転させた方向すなわちＹ方向をＺ軸廻りに−４５度回転させた方向に偏光方向を有する直線偏光の光を射出するように厚さｄＢが設定されている。したがって、この場合、図４に示す輪帯状の二次光源３１のうち、一対の第２基本素子７Ｂの旋光作用を受けた光束が形成する一対の円弧状領域３１Ｂを通過する光束の偏光方向はＹ方向をＺ軸廻りに−４５度回転させた方向になる。
【００４３】
第３基本素子７Ｃは、Ｙ方向に偏光方向を有する直線偏光の光が入射した場合、Ｙ方向をＺ軸廻りに＋９０度回転させた方向すなわちＸ方向に偏光方向を有する直線偏光の光を射出するように厚さｄＣが設定されている。したがって、この場合、図４に示す輪帯状の二次光源３１のうち、一対の第３基本素子７Ｃの旋光作用を受けた光束が形成する一対の円弧状領域３１Ｃを通過する光束の偏光方向はＸ方向になる。
【００４４】
第４基本素子７Ｄは、Ｙ方向に偏光方向を有する直線偏光の光が入射した場合、Ｙ方向をＺ軸廻りに＋４５度回転させた方向に偏光方向を有する直線偏光の光を射出するように厚さｄＤが設定されている。したがって、この場合、図４に示す輪帯状の二次光源３１のうち、一対の第４基本素子７Ｄの旋光作用を受けた光束が形成する一対の円弧状領域３１Ｄを通過する光束の偏光方向はＹ方向をＺ軸廻りに＋４５度回転させた方向になる。
【００４５】
なお、別々に形成された８つの基本素子を組み合わせて偏光変換素子７を得ることもできるし、あるいは平行平面板状の水晶基板に所要の凹凸形状（段差）を形成することにより偏光変換素子７を得ることもできる。また、偏光変換素子７を光路から退避させることなく通常の円形照明を行うことができるように、偏光変換素子７の有効領域の径方向の大きさの１／３以上の大きさを有し且つ旋光性を有しない円形状の中央領域７Ｅが設けられている。ここで、中央領域７Ｅは、たとえば石英のように旋光性を有しない光学材料により形成されていてもよいし、単純に円形状の開口であってもよい。
【００４６】
本実施形態の露光装置には、ウェハＷを保持するためのウェハステージＷＳに、ウェハＷに入射する照明光（露光光）の偏光状態を測定するための偏光測定部１４が設けられている。偏光測定部１４の測定結果は、制御部２０に供給される。偏光測定部１４の詳細な構成および作用については、特開２００５−５５２１号公報に開示されている。偏光測定部１４を用いてウェハＷに入射する照明光の瞳内における偏光状態を測定し、照明光が瞳内において適切な偏光状態（たとえば上述した周方向偏光状態など）になっているか否かが判定される。制御部２０は、偏光測定部１４の測定結果に基づいて、必要に応じて偏光状態切換部３を駆動し、マスクＭ（ひいてはウェハＷ）への照明光の偏光状態を所望の偏光状態に調整する。
【００４７】
本実施形態では、周方向偏光輪帯照明（輪帯状の二次光源を通過する光束が周方向偏光状態に設定された変形照明）に際して、偏光状態切換部３中の１／２波長板３ｂの結晶光学軸の光軸廻りの角度位置を調整して輪帯照明用の回折光学素子４にＹ方向偏光（Ｙ方向に偏光方向を有する直線偏光）の光を入射させることによって、Ｙ方向偏光の光を偏光変換素子７に入射させる。その結果、マイクロフライアイレンズ１０の後側焦点面またはその近傍には、図４に示すように、輪帯状の二次光源（輪帯状の照明瞳分布）３１が形成され、この輪帯状の二次光源３１を通過する光束が周方向偏光状態に設定される。
【００４８】
周方向偏光状態では、輪帯状の二次光源３１を構成する円弧状領域３１Ａ〜３１Ｄをそれぞれ通過する光束は、各円弧状領域３１Ａ〜３１Ｄの円周方向に沿った中心位置における光軸ＡＸを中心とする円の接線方向とほぼ一致する偏光方向を有する直線偏光状態になる。周方向偏光状態の輪帯状の照明瞳分布に基づく周方向偏光輪帯照明では、最終的な被照射面としてのウェハＷに照射される光がＳ偏光を主成分とする偏光状態になる。ここで、Ｓ偏光とは、入射面に対して垂直な方向に偏光方向を有する直線偏光（入射面に垂直な方向に電気ベクトルが振動している偏光）のことである。また、入射面とは、光が媒質の境界面（被照射面：ウェハＷの表面）に達したときに、その点での境界面の法線と光の入射方向とを含む面として定義される。
【００４９】
その結果、周方向偏光輪帯照明では、投影光学系の光学性能（焦点深度など）が向上し、ウェハ（感光性基板）上において高コントラストの良好なマスクパターン像が得られる。一般に、輪帯照明に限定されることなく、たとえば周方向偏光状態の複数極状の照明瞳分布に基づく照明においても、ウェハＷに入射する光がＳ偏光を主成分とする偏光状態になり、ウェハＷ上において高コントラストの良好なマスクパターン像が得られる。この場合、輪帯照明用の回折光学素子４に代えて、複数極照明（２極照明、４極照明、８極照明など）用の回折光学素子を照明光路に設定し、偏光状態切換部３中の１／２波長板３ｂの結晶光学軸の光軸廻りの角度位置を調整して複数極照明用の回折光学素子にＹ方向偏光の光を入射させることによって、Ｙ方向偏光の光を偏光変換素子７に入射させる。
【００５０】
以上のように、光源１から供給される光に基づいて被照射面としてのマスクＭを照明する本実施形態の照明光学装置（１〜１３）は、光源１とマスクＭとの間の光路中に配置されてマスクＭに達する光の偏光状態を所定の偏光状態に設定するための偏光設定部として、偏光状態切換部３（３ａ，３ｂ，３ｃ）および偏光変換素子７を備えている。しかしながら、たとえば偏光状態切換部３および偏光変換素子７の作用により所望の偏光状態の光でマスクＭ（ひいてはウェハＷ）を照明しようとしても、前述したように照明光路中に光の偏光状態を変化させる光学部材が介在すると、所望の偏光状態で結像しなくなり、ひいては結像性能が悪化する可能性がある。以下、光源１から投影光学系ＰＬまでを照明光学装置と考え、この照明光学装置（１〜ＰＬ）の光学系中において光の偏光状態を所望の偏光状態から実質的に変化させる部位（光学系部分）を検知し、検知した当該部位を必要に応じて光学調整する調整機構および調整方法について説明する。
【００５１】
［第１実施例］
図５は、第１実施例にかかる調整機構の要部構成を概略的に示す図である。図６は、第１実施例の調整方法の工程を概略的に説明するフローチャートである。図５を参照すると、第１実施例の調整機構は、光源１とウェハ（被照射面）Ｗとの間の光路中（現実的には光源１とマスクＭとの間の光路中）の所望位置に偏光ビームスプリッター１５のような偏光子を挿脱自在に配置するための偏光子挿脱部２１を備えている。偏光子挿脱部２１は、制御部２０からの指令にしたがって、光路中の複数の位置に選択的に偏光ビームスプリッター１５を配置する。なお、偏光ビームスプリッター１５に代えて、グラントムソンプリズムのような他の適当な偏光子を用いることもできる。
【００５２】
第１実施例の調整方法では、図６に示すように、偏光測定部１４を用いて、ウェハＷ上の複数の位置（厳密には投影光学系ＰＬの有効結像領域内の複数の位置）に入射する照明光の偏光状態を順次測定する（Ｓ１１）。測定工程Ｓ１１の測定結果に基づいて、入射する照明光の偏光状態が所望の偏光状態と実質的に異なっているウェハＷ上の位置が確認される。次いで、光源１とウェハＷとの間の光路中の所望位置、たとえば図５に実線で示すようにマスクＭの直前の位置に、偏光ビームスプリッター１５を所要の姿勢で挿入する（Ｓ１２）。
【００５３】
ここで、偏光ビームスプリッター１５は、入射照明光の偏光状態が所望の偏光状態と実質的に異なっていたウェハＷ上の当該位置に対応する光束の通過領域に配置される。また、偏光ビームスプリッター１５は、ウェハＷ上の当該位置に入射する照明光の所望の偏光状態に対応する偏光状態の光だけを透過させる姿勢で配置される。すなわち、制御部２０は偏光測定部１４の測定結果に基づいて偏光子挿脱部２１に指令を供給し、偏光子挿脱部２１は制御部２０からの指令にしたがって偏光ビームスプリッター１５を所望位置に所要の姿勢で配置する。
【００５４】
次いで、偏光測定部１４を用いて、ウェハＷ上の当該位置に入射する照明光の偏光状態を再び測定する（Ｓ１３）。そして、測定工程Ｓ１１の測定結果と測定工程Ｓ１３の測定結果とに基づいて、偏光ビームスプリッター１５の挿入位置（マスクＭの位置）と光源１との間の光学系の不具合を判断する（Ｓ１４）。
【００５５】
具体的に、判断工程Ｓ１４では、ウェハＷ上の当該位置に関する測定工程Ｓ１１の測定結果と測定工程Ｓ１３の測定結果とが実質的に異なる場合、すなわち測定工程Ｓ１１の測定結果は所望の偏光状態と実質的に異なっているが測定工程Ｓ１３の測定結果がほぼ所望の偏光状態になっている場合、偏光ビームスプリッター１５の挿入位置とウェハＷとの間の光学系すなわち投影光学系ＰＬには光の偏光状態を所望の偏光状態から実質的に変化させる不具合がなく、偏光ビームスプリッター１５の挿入位置と光源１との間の光学系、実際には偏光ビームスプリッター１５の挿入位置と偏光状態切換部３中の１／２波長板３ｂとの間の光学系に不具合があるものと判断する。実際に、露光装置に搭載される投影光学系ＰＬは高い光学性能を確保するように設計され且つ高精度に光学調整されているので、投影光学系ＰＬに不具合があることは稀である。
【００５６】
次に、マスクＭの直前に配置された偏光ビームスプリッター１５を光路から退避させ、たとえば図５に破線で示すようにマスクブラインド１２の直前の位置または直後の位置（あるいはマスクブラインド１２上の位置）に、偏光ビームスプリッター１５を所要の姿勢で挿入する（Ｓ１５）。ここで、偏光ビームスプリッター１５は、ウェハＷ上の当該位置に対応する光束の通過領域に配置され、ウェハＷ上の当該位置に入射する照明光の所望の偏光状態に対応する偏光状態の光だけを透過させる姿勢で配置される。すなわち、工程Ｓ１５では、偏光ビームスプリッター１５の挿入位置を変化させる。
【００５７】
次いで、偏光測定部１４を用いて、ウェハＷ上の当該位置に入射する照明光の偏光状態を再び測定する（Ｓ１６）。そして、測定工程Ｓ１１の測定結果と測定工程Ｓ１６の測定結果とに基づいて、偏光ビームスプリッター１５の今回の挿入位置（マスクブラインド１２の位置）と光源１（実際には偏光状態切換部３中の１／２波長板３ｂ）との間の光学系の不具合を判断する（Ｓ１７）。
【００５８】
具体的に、判断工程Ｓ１７では、測定工程Ｓ１１の測定結果は所望の偏光状態と実質的に異なっているが測定工程Ｓ１３の測定結果がほぼ所望の偏光状態になっている場合、マスクブラインド１２とマスクＭとの間の光学系すなわち結像光学系１３には光の偏光状態を所望の偏光状態から実質的に変化させる不具合がなく、マスクブラインド１２と１／２波長板３ｂとの間の光学系に不具合があるものと判断する。マスクブラインド１２と１／２波長板３ｂとの間の光学系に不具合があると判断された場合、必要に応じて、挿入位置変化工程Ｓ１５と測定工程Ｓ１６と判断工程Ｓ１７とを繰り返すことにより、光学系中において不具合がある部位（光学系部分）をさらに特定することができる。
【００５９】
最後に、第１実施例の調整方法では、判断工程Ｓ１７において不具合があると判断された光学系を光学調整する（Ｓ１８）。具体的に、調整工程Ｓ１８では、たとえば不具合があると判断された光学系中の少なくとも１つの光学部材（ミラーを含む）を交換する。なお、測定工程Ｓ１１の測定結果に基づいて、ウェハＷ上の複数の位置に入射する照明光の偏光状態が所望の偏光状態と実質的に異なる場合、ウェハＷ上の各位置について工程Ｓ１２〜Ｓ１８を繰り返してもよい。
【００６０】
こうして、第１実施例の調整機構および調整方法では、照明光学装置の光学系中において光の偏光状態を所望の偏光状態から実質的に変化させる部位を検知することができ、当該部位を必要に応じて光学調整することができる。なお、第１実施例では、偏光ビームスプリッター１５の初期的な挿入位置、挿入位置の変化などについて様々な変形例が可能である。
【００６１】
［第２実施例］
図７は、第２実施例にかかる調整機構の要部構成を概略的に示す図である。図８は、第２実施例の調整方法の工程を概略的に説明するフローチャートである。図７を参照すると、第２実施例の調整機構は、光源１とウェハ（被照射面）Ｗとの間の光路中（現実的には光源１とマスクＭとの間の光路中）の所望位置に拡散部材１６を挿脱自在に配置するための拡散部材挿脱部２２を備えている。拡散部材挿脱部２２は、制御部２０からの指令にしたがって、光路中の複数の位置に選択的に拡散部材１６を配置する。
【００６２】
第２実施例の調整方法では、図８に示すように、偏光測定部１４を用いて、ウェハＷ上の代表的な位置（厳密には投影光学系ＰＬの有効結像領域内の代表的な位置）に関する瞳光強度分布の偏光状態を測定する（Ｓ２０）。すなわち、一般的に、光学系（照明光学系や投影光学系）の射出瞳に形成される瞳光強度分布が中心よりも周辺付近で偏光状態が不均一となる傾向にあるため、測定工程（第１測定工程）Ｓ２０では、瞳光強度分布の分布を計測し、瞳光強度分布の中心部と周辺部との偏光状態を確認する。
【００６３】
測定工程Ｓ２０の結果、瞳光強度分布の中心部の偏光状態が均一であることが確認された場合には、次の工程Ｓ２１へ移行する。もし、瞳光強度分布の中心部の偏光状態が均一でないことが確認された場合には、アキシコン系８を構成する移動可能な光学部材を移動調整することやズームレンズ（ズーム光学系）９を構成する移動可能な光学部材を移動調整することの少なくとも１つを実行し、その後、偏光測定部１４を用いた再計測を行う。
【００６４】
さて、次に、照明瞳面に形成される瞳光強度分布の偏光状態が所望の偏光状態に近づくように瞳光強度分布の形状を小さく設定する（Ｓ２１）。具体的に、設定工程Ｓ２１では、例えば輪帯照明用の回折光学素子４に代えて、直径が比較的小さい円形状の瞳光強度分布を照明瞳面上に形成するための小σ検査用の回折光学素子（不図示）を照明光路中に設置する。この場合、小σ検査用の回折光学素子は、瞳光強度分布の形状の大きさを変更するための形状変更部を構成することになる。なお、小σ検査用の回折光学素子に限定されることなく、例えばマイクロフライアイレンズ１０の射出側に形状変更部としての可変開口絞りを配置し、この可変開口絞りの開口を比較的小さい円形状にすることにより瞳光強度分布の形状を小さく設定することもできる。
【００６５】
前述の如く、一般に、光学系全系での偏光分布は、光学系の射出瞳の中心よりも周辺で不均一になる傾向がある。これは、瞳の中心を通過する光束よりも周辺を通過する光束の方が、前述の光学材料の内部歪みや光学部材のホールド歪みの影響を受け易く、膜への入射角度が大きくなって位相特性の比較的大きい領域を経るためである。したがって、瞳光強度分布の形状を小さく設定することにより、光学系全系の偏光分布がほぼ均一になり、ひいては瞳光強度分布の偏光状態が所望の偏光状態に近づく。
【００６６】
次いで、偏光測定部１４を用いて、ウェハＷ上の代表的な位置（厳密には投影光学系ＰＬの有効結像領域内の代表的な位置）に関する瞳光強度分布の偏光状態を測定する（Ｓ２２）。測定工程（第２測定工程）Ｓ２２では、瞳光強度分布の偏光状態がほぼ所望の偏光状態になっていることを確認する。例えば、光学系の射出瞳の中心部に絞り込まれた光束による偏光分布が均一となっていることを確認し、光学系の射出瞳の中心部に絞り込まれた光束により所望の均一な偏光状態が確保されていることを確認する。
【００６７】
次いで、光源１とウェハＷとの間の光路中の所望位置、たとえば図７に実線で示すようにマスクブラインド１２の直前の位置（またはマスクブラインド１２の直後の位置、あるいはマスクブラインド１２上の位置）に、瞳光強度分布を拡大させるための拡散部材（拡散板）１６を挿入する（Ｓ２３）。この拡散部材１６の設定により、設定工程Ｓ２１にて小さく絞った瞳面での光強度分布を、初期の第１測定工程（Ｓ２０）の計測に用いた光強度分布まで拡大する。つまり、偏光状態が良好な瞳面での光強度分布を種火として、拡散部材１６にて所望の大きさの光強度分布に拡大することで、拡散部材１６の個所にて良好な偏光状態を持つ光強度分布を得ることができる。
【００６８】
次いで、偏光測定部１４を用いて、拡散部材１６の作用により拡大された瞳光強度分布の偏光状態を測定する（Ｓ２４）。そして、測定工程Ｓ２２の測定結果と測定工程Ｓ２４の測定結果とに基づいて、拡散部材１６の挿入位置（マスクブラインド１２の位置）とウェハＷとの間の光学系の不具合を判断する（Ｓ２５）。具体的に、判断工程Ｓ２５では、測定工程Ｓ２２の測定結果と測定工程Ｓ２４の測定結果とがほぼ同じである場合、すなわちマスクブラインド１２の直前の位置に挿入した拡散部材１６の作用により拡散された光束がマスクブラインド１２とウェハＷとの間の光学系中（すなわち結像光学系１３および投影光学系ＰＬ中）の光学部材の周辺領域を通過しても瞳光強度分布の偏光状態がほぼ所望の偏光状態のままである場合、結像光学系１３および投影光学系ＰＬには光の偏光状態を所望の偏光状態から実質的に変化させる不具合がないものと判断する。
【００６９】
逆に、判断工程Ｓ２５では、測定工程Ｓ２２の測定結果と測定工程Ｓ２４の測定結果とが実質的に異なる場合、すなわちマスクブラインド１２の直前の位置に挿入した拡散部材１６の作用により拡散された光束が結像光学系１３および投影光学系ＰＬ中の光学部材の周辺領域を通過することにより瞳光強度分布の偏光状態が所望の偏光状態とは実質的に異なる状態に変化した場合、結像光学系１３または投影光学系ＰＬに不具合があるものと判断する。以下、第２実施例では、判断工程Ｓ２５において結像光学系１３または投影光学系ＰＬに不具合があると判断されたものとして説明を進める。
【００７０】
次に、マスクブラインド１２の直前に配置された拡散部材１６を光路から退避させ、たとえば図７に破線で示すようにマスクＭの直前の位置に拡散部材１６を挿入する（Ｓ２６）。すなわち、工程Ｓ２６では、拡散部材１６の挿入位置を変化させる。次いで、偏光測定部１４を用いて、挿入位置が変化した拡散部材１６の作用により拡大された瞳光強度分布の偏光状態を測定する（Ｓ２７）。そして、測定工程Ｓ２２の測定結果と測定工程Ｓ２７の測定結果とに基づいて、拡散部材１６の今回の挿入位置（マスクＭの位置）とウェハＷとの間の光学系の不具合を判断する（Ｓ２８）。
【００７１】
具体的に、判断工程Ｓ２８では、測定工程Ｓ２２の測定結果と測定工程Ｓ２７の測定結果とがほぼ同じである場合、すなわちマスクＭの直前の位置に挿入した拡散部材１６の作用により拡散された光束がマスクＭとウェハＷとの間の光学系中（すなわち投影光学系ＰＬ中）の光学部材の周辺領域を通過しても瞳光強度分布の偏光状態がほぼ所望の偏光状態のままである場合、投影光学系ＰＬに不具合がないものと判断する。
【００７２】
逆に、判断工程Ｓ２８では、測定工程Ｓ２２の測定結果と測定工程Ｓ２７の測定結果とが実質的に異なる場合、すなわちマスクＭの直前の位置に挿入した拡散部材１６の作用により拡散された光束が投影光学系ＰＬ中の光学部材の周辺領域を通過することにより瞳光強度分布の偏光状態が所望の偏光状態とは実質的に異なる状態に変化した場合、投影光学系ＰＬに不具合があるものと判断する。上述したように、露光装置に搭載される投影光学系ＰＬに不具合があることは稀であり、第２実施例においても投影光学系ＰＬに不具合がないものとして説明を進める。すなわち、判断工程Ｓ２８において結像光学系１３に不具合があると判断されたものとして説明を進める。
【００７３】
最後に、第２実施例の調整方法では、判断工程Ｓ２８において不具合があると判断された結像光学系１３を光学調整する（Ｓ２９）。具体的に、調整工程Ｓ２９では、たとえば結像光学系１３中の少なくとも１つの光学部材（ミラーを含む）を交換する。なお、判断工程Ｓ２５において結像光学系１３および投影光学系ＰＬに不具合がないと判断された場合、必要に応じて、拡散部材１６の挿入位置をマスクブラインド１２よりも光源側の所望位置（たとえば被照射面であるウェハＷと光学的に共役な位置またはその近傍）に変化させる工程（工程Ｓ２６に対応）と、工程Ｓ２７およびＳ２８に対応する工程とを繰り返すことにより、光学系中において不具合がある部位（光学系部分）をさらに特定することができる。
【００７４】
こうして、第２実施例の調整機構および調整方法においても第１実施例と同様に、照明光学装置の光学系中において光の偏光状態を所望の偏光状態から実質的に変化させる部位を検知することができ、当該部位を必要に応じて光学調整することができる。なお、第２実施例では、拡散部材１６の初期的な挿入位置、挿入位置の変化などについて様々な変形例が可能である。また、第２実施例では、設定工程Ｓ２１により絞り込まれた光束にて所望の偏光状態が維持できていることが予め分かっている場合や保証されている場合には、測定工程Ｓ２０は必須なものではなく、測定工程Ｓ２０を省略することも可能である。また、第２実施例において、設定工程Ｓ２１を経て得られる瞳光強度分布の偏光状態が既知である場合、測定工程Ｓ２２の実施を省略する変形例も可能である。このように、第２実施例では、第１測定工程Ｓ２０と第２測定工程Ｓ２２との少なくとも一方を省略することが可能である。
【００７５】
［第３実施例］
入射光の偏光状態が光学系により移相作用を受けて偏光状態が変化する様は、ミューラー行列式によって表される。たとえば、入射光の偏光状態を表すストークスパラメータをＳ＝（Ｓ0，Ｓ1，Ｓ2，Ｓ3） とすると、光学系による移相作用を表すミューラー行列［Ｃ（Γ）］は、次の式（２）で表される。
【００７６】
【数１】
2007048996.tif 000003
【００７７】
式（２）において、Γは、移相子の持つリタデーション量である。また、移相子の進相軸方位をθとすると、回転マトリクス［Ｔ（θ）］は、次の式（３）で表される。
【００７８】
【数２】
2007048996.tif 000004
【００７９】
移相子を透過した光の偏光状態を表すストークスパラメータをＳ’＝（Ｓ0’，Ｓ1’，Ｓ2’，Ｓ3’） とすると、このストークスパラメータＳ’は、次の式（４）で表される。
【００８０】
【数３】
2007048996.tif 000005
【００８１】
以下、移相子による偏光状態への影響を追跡する演算式を用いて、第３実施例の基本的な考え方を説明する。式（２）で表される既知の特性を有する移相子Ｃを光学系の途中に配置した場合、移相子Ｃの上流側の上流光学系を未知の移相子Ａとして表すミューラー行列を次の式（５）で示すように［Ｃ（Γａ）］とし、未知の移相子Ａの進相軸方位をθａとすると、回転マトリクス［Ｔ（θａ）］は次の式（６）で表される。
【００８２】
【数４】
2007048996.tif 000006
【００８３】
【数５】
2007048996.tif 000007
【００８４】
一方、移相子Ｃの下流側の下流光学系を未知の移相子Ｂとして表すミューラー行列を次の式（７）で示すように［Ｃ（Γｂ）］とし、未知の移相子Ｂの進相軸方位をθｂとすると、回転マトリクス［Ｔ（θｂ）］は次の式（８）で表される。
【００８５】
【数６】
2007048996.tif 000008
【００８６】
【数７】
2007048996.tif 000009
【００８７】
入射光の偏光状態を表すストークスパラメータをＳ＝（Ｓ0，Ｓ1，Ｓ2，Ｓ3） とし、既知の移相子Ｃの上流に配置された上流光学系（その未知の移相作用は［Ｃ（Γａ）］で表される）を透過し、既知の移相子Ｃ（その移送作用は［Ｃ（Γ）］で表される）を透過し、既知の移相子Ｃの下流に配置された下流光学系（その未知の移相作用は［Ｃ（Γｂ）］で表される）を透過した出射光の偏光状態を表すストークスパラメータＳ’＝（Ｓ0’，Ｓ1’，Ｓ2’，Ｓ3’）とすると、ストークスパラメータＳ’は以下の式（９）に示すミューラー行列で表される。
【００８８】
【数８】
2007048996.tif 000010
【００８９】
光学系の途中に配置する既知の移相子Ｃのリタデーション量Γや進相軸方位θを変えながら出射光の偏光状態の計測を行うと、式（９）に示すミューラー行列式が複数得られる。これらの複数のミューラー行列式は、未知の移相子Ａのリタデーション量Γａおよびその進相軸方位θａと、未知の移相子Ｂのリタデーション量Γｂおよびその進相軸方位θｂとを求めることのできる連立方程式となり得る。すなわち、この連立方程式を解くことにより、既知の移相子Ｃの上流に配置された上流光学系を表す移相子Ａのリタデーション量Γａおよびその進相軸方位θａ、並びに既知の移相子Ｃの下流に配置された下流光学系を表す移相子Ｂのリタデーション量Γｂおよびその進相軸方位θｂをそれぞれ求め、ひいては上流光学系の偏光状態への影響、下流光学系の偏光状態への影響、および光学系全系（上流光学系＋下流光学系）の偏光状態への影響を定量的に把握することができる。
【００９０】
ここで、直線偏光状態に限らず様々な入射偏光状態を維持したまま入射光と同じ出射偏光状態を得るには、上流光学系を表す移相子Ａのリタデーション量Γａおよび下流光学系を表す移相子Ｂのリタデーション量Γｂがともに０であることが必要条件になる。このように、既知の移相子Ｃの挿入位置を変えつつ出射光の偏光状態を計測し、上流光学系を表す移相子Ａのリタデーション量Γａおよび下流光学系を表す移相子Ｂのリタデーション量Γｂを求めることにより、光の偏光状態を所望の偏光状態から実質的に変化させる不具合のある部位（光学系部分）を特定（限定）することができるとともに、その部位を表す移相子のリタデーション量およびその進相軸方位を把握することが可能になる。
【００９１】
図９は、第３実施例にかかる調整機構の要部構成を概略的に示す図である。図１０は、第３実施例の調整方法の工程を概略的に説明するフローチャートである。図９を参照すると、第３実施例の調整機構は、光源１とウェハ（被照射面）Ｗとの間の光路中（現実的には光源１とマスクＭとの間の光路中）の所望位置に波長板（１／２波長板、１／４波長板など）１７のような移相子を挿脱自在に配置し且つその光学軸の回転角度（すなわち移相子の進相軸方位）を変化させるための移相子挿脱駆動部２３を備えている。移相子挿脱駆動部２３は、制御部２０からの指令にしたがって、光路中の複数の位置に選択的に波長板１７を配置する。なお、波長板１７に代えて、旋光子のような他の適当な移相子を用いることもできる。
【００９２】
第３実施例の調整方法では、図１０に示すように、偏光測定部１４を用いて、ウェハＷ（厳密には投影光学系ＰＬの有効結像領域）に入射する照明光の偏光状態を測定する（Ｓ３１）。測定工程（第１測定工程）Ｓ３１では、照明光学装置の光学系（２〜ＰＬ）を通過した出射光の偏光状態を表すストークスパラメータが得られる。次いで、光源１とウェハＷとの間の光路中の所望位置、たとえば図９に実線で示すようにマスクブラインド１２の直前の位置（またはマスクブラインド１２の直後の位置、あるいはマスクブラインド１２上の位置）に、波長板１７を所要の姿勢で挿入する（Ｓ３２）。すなわち、制御部２０は移相子挿脱駆動部２３に指令を供給し、移相子挿脱駆動部２３は制御部２０からの指令にしたがって波長板１７を所望位置に所要の姿勢で配置する。
【００９３】
次いで、光路中に挿入した波長板１７の光学軸の回転角度（進相軸方位）を変化させつつ、少なくとも２つの回転角度位置においてウェハＷを照明する光束の偏光状態を複数回測定する（Ｓ３３）。測定工程（第２測定工程）Ｓ３３では、挿入した波長板１７を含む光学系（２〜ＰＬ）を通過した出射光の偏光状態を表すストークスパラメータが、変化する波長板１７の進相軸方位毎に複数組得られる。次いで、測定工程Ｓ３１の測定結果と測定工程Ｓ３３の複数回の測定結果とに基づいて、波長板１７の挿入位置（マスクブラインド１２の位置）と光源１との間の上流光学系（第１光学系）の移相子としての偏光特性、および波長板１７の挿入位置とウェハＷとの間の下流光学系（第２光学系）の移相子としての偏光特性を算出する（Ｓ３４）。
【００９４】
具体的に、特性算出工程Ｓ３４では、上述したように、光学系（２〜ＰＬ）を通過した出射光の偏光状態に関する複数回の測定結果により、式（９）に示すようなミューラー行列式を複数得る。そして、特性算出工程Ｓ３４では、これらの複数のミューラー行列式が形成する連立方程式を解くことにより、波長板１７の移相子としての特性が既知であるから、既知の移相子としての波長板１７の上流に配置された上流光学系（２〜１１）を表す移相子Ａのリタデーション量Γａおよびその進相軸方位θａ、並びに波長板１７の下流に配置された下流光学系（結像光学系１３＋投影光学系ＰＬ）を表す移相子Ｂのリタデーション量Γｂおよびその進相軸方位θｂをそれぞれ求め、ひいては上流光学系（２〜１１）の偏光状態への影響および下流光学系（１３，ＰＬ）の偏光状態への影響を定量的に把握する。
【００９５】
最後に、第３実施例の調整方法では、特性算出工程Ｓ３４の算出結果に応じて、上流光学系（２〜１１）または下流光学系（１３，ＰＬ）を光学調整する（Ｓ３５）。具体的に、調整工程Ｓ３５では、上流光学系（２〜１１）の移相子としてのリタデーション量Γａが０と実質的に異なる値である場合、上流光学系（２〜１１）に偏光不具合があると判断し、上流光学系（２〜１１）中の少なくとも１つの光学部材（ミラーを含む）を交換する。同様に、下流光学系（１３，ＰＬ）の移相子としてのリタデーション量Γｂが０と実質的に異なる値である場合、下流光学系（１３，ＰＬ）に偏光不具合があると判断し、下流光学系（１３，ＰＬ）中の少なくとも１つの光学部材（ミラーを含む）を交換する。この場合、計測や演算によって得られたリタデーション量が既知の光学部材を、リタデーション量のより小さい光学部材と交換する。
【００９６】
あるいは、直線偏光状態の光が通過するように設計された光学系では、入射直線偏光状態を変化させないために、入射光の偏光方向と上流光学系または下流光学系の進相軸方位とが直交又は平行になるように、上流光学系または下流光学系を光軸廻りに所定角度だけ回転させて位置決めする方法も可能である。あるいは、リタデーション量が０と実質的に異なる値となって偏光不具合があると判断された上流光学系または下流光学系中に、複屈折性を有する材料を加工して得られた移相子（波長板や旋光性をもつ光学部材）を挿入することにより偏光不具合を相殺（キャンセル）する方法も可能である。この種の相殺用移相子として、国際公開第ＷＯ２００５／０４１２７７号パンフレットに開示された非球面波長板や、特願２００５−１２０７０９号明細書および図面に提案された旋光子ユニット（可変旋光ユニット）などを用いることができる。
【００９７】
ここで、可変旋光ユニットは、入射する直線偏光に旋光角度を可変的に付与するための複数の可変旋光部材を有する。複数の可変旋光部材の各々は、旋光性を有する光学材料により形成され且つ光軸と交差する方向に沿って相対的に移動可能な２つの偏角プリズムを有する。２つの偏角プリズムは、互いに補完的なくさび状の断面形状を有し、結晶光学軸が光軸にほぼ平行になるように配置される。
【００９８】
なお、上述の説明では、同一の移相子を用いて偏光状態を複数回測定しているが、必要に応じて特性の異なる移相子に代えてさらに偏光状態の測定を行うこともできる。また、上述の説明では、マスクブラインドの直前の位置（または直後の位置、あるいはマスクブラインド上の位置）に移相子を配置して測定を行っているが、他の所望位置に移相子を挿入して第３実施例を実施することもできる。この場合、たとえば第１実施例の手法および第２実施例の手法のうちの少なくとも一方を用いて偏光不具合のある部位を特定し、その不具合のある部位の情報に基づいて移相子の挿入位置を決定することもできる。
【００９９】
また、移相子の挿入位置については、たとえばウェハＷと光学的に共役な像共役位置、像共役位置の近傍、照明瞳面と光学的に共役な瞳共役位置、または瞳共役位置の近傍に、移相子を挿入することができる。具体的に、図９において破線で示すように、たとえばマスクＭの直前の位置、結像光学系１３の瞳またはその近傍、マイクロフライアイレンズ１０の直前の位置または直後の位置などに、移相子を挿入することができる。
【０１００】
第３実施例では、工程Ｓ３２にて移相子を所要の姿勢で挿入し、工程Ｓ３３にて移相子を回転させながら少なくとも２つの回転角度位置で偏光計測を複数回行い、工程Ｓ３４にてその結果を基にミューラー行列計算の連立方程式を解く特性算出工程を行っている。このため、第３実施例では、移相子挿入前の偏光計測（第１測定工程）Ｓ３１を行う例を示したが、この測定工程Ｓ３１は必須なものではない。この場合、例えば、移相子挿入前の入射と出射の偏光状態が明確であれば、上記式（９）で示すミューラー行列の方程式における［Ｔ（θ）］、［Ｃ（Γ）］、［Ｔ（−θ）］をなくした方程式が一つ得られるので、複数回の計測回数を減らす効果が期待できる。
【０１０１】
上述の実施形態にかかる露光装置では、照明光学装置によってマスク（レチクル）を照明し（照明工程）、投影光学系を用いてマスクに形成された転写用のパターンを感光性基板に露光する（露光工程）ことにより、マイクロデバイス（半導体素子、撮像素子、液晶表示素子、薄膜磁気ヘッド等）を製造することができる。以下、上述の実施形態の露光装置を用いて感光性基板としてのウェハ等に所定の回路パターンを形成することによって、マイクロデバイスとしての半導体デバイスを得る際の手法の一例につき図１１のフローチャートを参照して説明する。
【０１０２】
先ず、図１１のステップ３０１において、１ロットのウェハ上に金属膜が蒸着される。次のステップ３０２において、その１ロットのウェハ上の金属膜上にフォトレジストが塗布される。その後、ステップ３０３において、上述の実施形態の露光装置を用いて、マスク上のパターンの像がその投影光学系を介して、その１ロットのウェハ上の各ショット領域に順次露光転写される。その後、ステップ３０４において、その１ロットのウェハ上のフォトレジストの現像が行われた後、ステップ３０５において、その１ロットのウェハ上でレジストパターンをマスクとしてエッチングを行うことによって、マスク上のパターンに対応する回路パターンが、各ウェハ上の各ショット領域に形成される。その後、更に上のレイヤの回路パターンの形成等を行うことによって、半導体素子等のデバイスが製造される。上述の半導体デバイス製造方法によれば、極めて微細な回路パターンを有する半導体デバイスをスループット良く得ることができる。
【０１０３】
また、上述の実施形態の露光装置では、プレート（ガラス基板）上に所定のパターン（回路パターン、電極パターン等）を形成することによって、マイクロデバイスとしての液晶表示素子を得ることもできる。以下、図１２のフローチャートを参照して、このときの手法の一例につき説明する。図１２において、パターン形成工程４０１では、上述の実施形態の露光装置を用いてマスクのパターンを感光性基板（レジストが塗布されたガラス基板等）に転写露光する、所謂光リソグラフィー工程が実行される。この光リソグラフィー工程によって、感光性基板上には多数の電極等を含む所定パターンが形成される。その後、露光された基板は、現像工程、エッチング工程、レジスト剥離工程等の各工程を経ることによって、基板上に所定のパターンが形成され、次のカラーフィルター形成工程４０２へ移行する。
【０１０４】
次に、カラーフィルター形成工程４０２では、Ｒ（Red）、Ｇ（Green）、Ｂ（Blue）に対応した３つのドットの組がマトリックス状に多数配列されたり、またはＲ、Ｇ、Ｂの３本のストライプのフィルターの組を複数水平走査線方向に配列したカラーフィルターを形成する。そして、カラーフィルター形成工程４０２の後に、セル組み立て工程４０３が実行される。セル組み立て工程４０３では、パターン形成工程４０１にて得られた所定パターンを有する基板、およびカラーフィルター形成工程４０２にて得られたカラーフィルター等を用いて液晶パネル（液晶セル）を組み立てる。
【０１０５】
セル組み立て工程４０３では、例えば、パターン形成工程４０１にて得られた所定パターンを有する基板とカラーフィルター形成工程４０２にて得られたカラーフィルターとの間に液晶を注入して、液晶パネル（液晶セル）を製造する。その後、モジュール組み立て工程４０４にて、組み立てられた液晶パネル（液晶セル）の表示動作を行わせる電気回路、バックライト等の各部品を取り付けて液晶表示素子として完成させる。上述の液晶表示素子の製造方法によれば、極めて微細な回路パターンを有する液晶表示素子をスループット良く得ることができる。
【０１０６】
なお、上述の実施形態では、露光光としてＫｒＦエキシマレーザ光（波長：２４８ｎｍ）やＡｒＦエキシマレーザ光（波長：１９３ｎｍ）を用いているが、これに限定されることなく、他の適当なレーザ光源、たとえば波長１５７ｎｍのレーザ光を供給するＦ2レーザ光源などに対して本発明を適用することもできる。さらに、上述の実施形態では、照明光学装置を備えた露光装置を例にとって本発明を説明したが、以外の被照射面を照明するための一般的な照明光学装置に本発明を適用することができることは明らかである。
【図面の簡単な説明】
【０１０７】
【図１】本発明の実施形態にかかる露光装置の構成を概略的に示す図である。
【図２】図１の偏光変換素子の構成を概略的に示す図である。
【図３】水晶の旋光性について説明する図である。
【図４】偏光変換素子の作用により周方向偏光状態に設定された輪帯状の二次光源を概略的に示す図である。
【図５】第１実施例にかかる調整機構の要部構成を概略的に示す図である。
【図６】第１実施例の調整方法の工程を概略的に説明するフローチャートである。
【図７】第２実施例にかかる調整機構の要部構成を概略的に示す図である。
【図８】第２実施例の調整方法の工程を概略的に説明するフローチャートである。
【図９】第３実施例にかかる調整機構の要部構成を概略的に示す図である。
【図１０】第３実施例の調整方法の工程を概略的に説明するフローチャートである。
【図１１】マイクロデバイスとしての半導体デバイスを得る際の手法のフローチャートである。
【図１２】マイクロデバイスとしての液晶表示素子を得る際の手法のフローチャートである。
【符号の説明】
【０１０８】
１  光源
３  偏光状態切換部
４  回折光学素子
５  アフォーカルレンズ
７  偏光変換素子
８  円錐アキシコン系
９  ズームレンズ
１０  マイクロフライアイレンズ
１１  コンデンサー光学系
１２  マスクブラインド
１３  結像光学系
１４  偏光測定部
１５  偏光子
１６  拡散部材
１７  移相子
２０  制御部
２１  偏光子挿脱部
２２  拡散部材挿脱部
２３  移相子挿脱駆動部
Ｍ  マスク
ＰＬ  投影光学系
Ｗ  ウェハ
【図１】
2007048996.tif 000011
【図２】
2007048996.tif 000012
【図３】
2007048996.tif 000013
【図４】
2007048996.tif 000014
【図５】
2007048996.tif 000015
【図６】
2007048996.tif 000016
【図７】
2007048996.tif 000017
【図８】
2007048996.tif 000018
【図９】
2007048996.tif 000019
【図１０】
2007048996.tif 000020
【図１１】
2007048996.tif 000021
【図１２】
2007048996.tif 000022